【手続補正書】
【提出日】平成17年11月28日(2005.11.28)
【手続補正１】
【補正対象書類名】明細書
【補正対象項目名】発明の名称
【補正方法】変更
【補正の内容】
【発明の名称】催事管理装置及び遊技用システム
【手続補正２】
【補正対象書類名】明細書
【補正対象項目名】特許請求の範囲
【補正方法】変更
【補正の内容】
【特許請求の範囲】
【請求項１】  催事を管理するための催事管理装置であって、
少なくとも日付情報を出力可能な日付情報出力手段と、
少なくとも催事対象日を設定するための催事対象日設定部を含む催事設定手段と、
該催事設定手段により設定された少なくとも催事対象日を含む設定内容を記憶する催事設定記憶手段と、
該催事管理装置の起動に応じて、前記日付情報出力手段から出力される本日の日付情報と前記催事設定記憶手段に記憶されている催事対象日を比較することにより、本日が催事対象日であるか否かを判断する催事対象日判断手段と、
該催事対象日判断手段によって本日が催事対象日であると判断されたことに基づいて、本日が催事対象日である旨を店員が確認可能に表示する表示手段と、
を備えることを特徴とする催事管理装置。
【請求項２】  前記催事設定手段は、催事内容を設定する催事内容設定部を含み、前記催事設定記憶手段は該催事内容設定部にて設定された催事内容を、前記催事対象日設定部にて設定された催事対象日に対応付けて記憶し、前記表示手段は、本日が催事対象日である旨とともに該催事対象日に対応付けて前記催事設定記憶手段に登録されている催事内容を表示する請求項１に記載の催事管理装置。
【請求項３】  前記催事設定手段は、催事開始時間および催事終了時間を設定する催事時間設定部を含み、前記催事設定記憶手段は該催事時間設定部にて設定された催事開始時間および催事終了時間を、前記催事対象日設定部にて設定された催事対象日に対応付けて記憶し、前記表示手段は、本日が催事対象日である旨とともに該催事対象日に対応付けて前記催事設定記憶手段に登録されている催事開始時間および催事終了時間を表示する請求項１または２に記載の催事管理装置。
【請求項４】  前記催事設定手段は、催事対象となる条件を設定するための催事対象条件設定部を含み、前記催事設定記憶手段は該催事対象条件設定部にて設定された催事対象条件を、前記催事対象日設定部にて設定された催事対象日に対応付けて記憶し、前記表示手段は、本日が催事対象日である旨とともに該催事対象日に対応付けて前記催事設定記憶手段に登録されている催事対象条件を表示する請求項１〜３のいずれかに記載の催事管理装置。
【請求項５】  前記催事設定手段は、催事による特典内容を設定するための催事特典設定部を含み、前記催事設定記憶手段は該催事特典設定部にて設定された催事特典を、前記催事対象日設定部にて設定された催事対象日に対応付けて記憶し、前記表示手段は、本日が催事対象日である旨とともに該催事対象日に対応付けて前記催事設定記憶手段に登録されている催事特典を表示する請求項１〜４のいずれかに記載の催事管理装置。
【請求項６】  表示対象となる期間を指定するための期間指定手段と、
該期間指定手段にて指定された期間内に催事対象日が該当する登録内容を抽出する催事情報抽出手段と、を備え、
前記表示手段は該催事情報抽出手段による抽出結果を表示する請求項１〜５のいずれかに記載の催事管理装置。
【請求項７】  催事を管理するための催事管理装置であって、
少なくとも日付情報を出力可能な日付情報出力手段と、
少なくとも催事対象日を設定するための催事対象日設定部を含む催事設定手段と、
該催事設定手段により設定された少なくとも催事対象日を含む設定内容を記憶する催事設定記憶手段と、
該催事管理装置の起動に応じて、前記日付情報出力手段から出力される本日の日付情報と前記催事設定記憶手段に記憶されている催事対象日を比較することにより、本日が催事対象日であるか否かを判断する催事対象日判断手段と、
該催事対象日判断手段によって本日が催事対象日であると判断されたことに基づいて、本日が催事対象日である旨を店員が確認可能に表示する表示手段と、
を備える催事管理装置と、
遊技に使用可能な遊技用価値の大きさを特定可能な情報及び各記録媒体を識別可能な識別情報が記録された記録媒体を受付けて、該受付けた記録媒体の記録情報を少なくとも読み出す記録媒体処理手段と、
該記録媒体処理手段にて前記記録媒体から読み出した前記情報から特定される遊技用価値の大きさを遊技に使用するための遊技使用処理を行う遊技使用処理手段と、
を備える記録媒体処理装置と、
前記記録媒体の遊技用価値の大きさを、該記録媒体の前記識別情報に対応づけて管理し、該管理している遊技用価値の大きさから前記遊技使用処理に使用された遊技用価値の大きさを減算更新する記録媒体管理装置と、
から成り、
前記記録媒体処理装置は、前記記録媒体処理手段にて前記記録媒体から読み出した情報から特定される遊技用価値の大きさと、該記録媒体の識別情報と、を含む判定要求を前記記録媒体管理装置に送信する判定要求送信手段を更に備え、
前記記録媒体管理装置は、前記判定要求送信手段から受信した判定要求に含まれる遊技用価値の大きさが、該判定要求に含まれる識別情報に対応付けて管理している遊技用価値の大きさ以下であるときに、当該識別情報の記録媒体の遊技への使用が可能であると判定し、該記録媒体の遊技への使用が可能である旨を前記判定要求を送信した記録媒体処理装置に返信する使用可否判定手段を備えることを特徴とする遊技用システム。
【手続補正３】
【補正対象書類名】明細書
【補正対象項目名】０００１
【補正方法】変更
【補正の内容】
【０００１】
【発明の属する技術の分野】
本発明は、遊技場等において実施される催事を管理するための催事管理装置及び遊技用システムに関する。
【手続補正４】
【補正対象書類名】明細書
【補正対象項目名】０００４
【補正方法】変更
【補正の内容】
【０００４】
よって、本発明は上記した問題点に着目してなされたもので、催事のスケジュール管理に伴う労力を低減することのできる催事管理装置及び遊技用システムを提供することを目的としている。
【手続補正５】
【補正対象書類名】明細書
【補正対象項目名】０００５
【補正方法】変更
【補正の内容】
【０００５】
【課題を解決するための手段】
前記した問題を解決するために、本発明の催事管理装置は、
催事を管理するための催事管理装置であって、
少なくとも日付情報を出力可能な日付情報出力手段と、
少なくとも催事対象日を設定するための催事対象日設定部を含む催事設定手段と、
該催事設定手段により設定された少なくとも催事対象日を含む設定内容を記憶する催事設定記憶手段と、
該催事管理装置の起動に応じて、前記日付情報出力手段から出力される本日の日付情報と前記催事設定記憶手段に記憶されている催事対象日を比較することにより、本日が催事対象日であるか否かを判断する催事対象日判断手段と、
該催事対象日判断手段によって本日が催事対象日であると判断されたことに基づいて、本日が催事対象日である旨を店員が確認可能に表示する表示手段と、
を備えることを特徴としている。
この特徴によれば、前記催事設定手段の催事対象日設定部にて、予め催事を実施する日付を設定しておくことで、本日がその日付となった際に、本日が催事対象日である旨が表示手段に表示されるようになるため、催事のスケジュール管理に伴う労力を低減することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明の催事管理装置は、表示対象となる期間を指定するための期間指定手段と、該期間指定手段にて指定された期間内に催事対象日が該当する登録内容を抽出する催事情報抽出手段と、を備え、前記表示手段は該催事情報抽出手段による抽出結果を表示することが好ましい。
このようにすれば、期間指定手段に所望の期間を指定することで、既に設定されている催事の中から、指定した期間に催事対象日が該当する催事の情報が前記表示手段に表示されるようになるため、催事の登録状況を確認できるとともに、事前準備が必要な催事に関しては、その準備への意識付けができる。
本発明の遊技用システムは、
催事を管理するための催事管理装置であって、
少なくとも日付情報を出力可能な日付情報出力手段と、
少なくとも催事対象日を設定するための催事対象日設定部を含む催事設定手段と、
該催事設定手段により設定された少なくとも催事対象日を含む設定内容を記憶する催事設定記憶手段と、
該催事管理装置の起動に応じて、前記日付情報出力手段から出力される本日の日付情報と前記催事設定記憶手段に記憶されている催事対象日を比較することにより、本日が催事対象日であるか否かを判断する催事対象日判断手段と、
該催事対象日判断手段によって本日が催事対象日であると判断されたことに基づいて、本日が催事対象日である旨を店員が確認可能に表示する表示手段と、
を備える催事管理装置と、
遊技に使用可能な遊技用価値の大きさを特定可能な情報及び各記録媒体を識別可能な識別情報が記録された記録媒体を受付けて、該受付けた記録媒体の記録情報を少なくとも読み出す記録媒体処理手段と、
該記録媒体処理手段にて前記記録媒体から読み出した前記情報から特定される遊技用価値の大きさを遊技に使用するための遊技使用処理を行う遊技使用処理手段と、
を備える記録媒体処理装置と、
前記記録媒体の遊技用価値の大きさを、該記録媒体の前記識別情報に対応づけて管理し、該管理している遊技用価値の大きさから前記遊技使用処理に使用された遊技用価値の大きさを減算更新する記録媒体管理装置と、
から成り、
前記記録媒体処理装置は、前記記録媒体処理手段にて前記記録媒体から読み出した情報から特定される遊技用価値の大きさと、該記録媒体の識別情報と、を含む判定要求を前記記録媒体管理装置に送信する判定要求送信手段を更に備え、
前記記録媒体管理装置は、前記判定要求送信手段から受信した判定要求に含まれる遊技用価値の大きさが、該判定要求に含まれる識別情報に対応付けて管理している遊技用価値の大きさ以下であるときに、当該識別情報の記録媒体の遊技への使用が可能であると判定し、該記録媒体の遊技への使用が可能である旨を前記判定要求を送信した記録媒体処理装置に返信する使用可否判定手段を備えることを特徴としている。
この特徴によれば、前記催事設定手段の催事対象日設定部にて、予め催事を実施する日付を設定しておくことで、本日がその日付となった際に、本日が催事対象日である旨が表示手段に表示されるようになるため、催事のスケジュール管理に伴う労力を低減することができる。
【手続補正８】
【補正対象書類名】明細書
【補正対象項目名】０１４９
【補正方法】削除
【補正の内容】
【手続補正９】
【補正対象書類名】明細書
【補正対象項目名】０１５０
【補正方法】変更
【補正の内容】
【０１５０】
（ｆ）請求項６の発明によれば、期間指定手段に所望の期間を指定することで、既に設定されている催事の中から、指定した期間に催事対象日が該当する催事の情報が前記表示手段に表示されるようになるため、催事の登録状況を確認できるとともに、事前準備が必要な催事に関しては、その準備への意識付けができる。
（ｇ）請求項７の発明によれば、前記催事設定手段の催事対象日設定部にて、予め催事を実施する日付を設定しておくことで、本日がその日付となった際に、本日が催事対象日である旨が表示手段に表示されるようになるため、催事のスケジュール管理に伴う労力を低減することができる。